(57)【特許請求の範囲】
【請求項１】
一方の配線がアースされた商用電源から電力供給を受ける電気機器のアース接続装置であって、商品一次側の受給配線の一方に検知電流制限抵抗（Ｒ１  ）及び回路開閉手段（ＲＹ１）、他方に検知電流制限抵抗（Ｒ２  ）及び回路開閉手段（ＲＹ２）を各々備え、両回路開閉手段（ＲＹ１）、（ＲＹ２）の閉状態における電流を検知して同受給配線での極性を判定する極性判定回路を備え、該極性判定回路の出力結果によってアース端子接続回路のグランド（Ｇ）が前記商用電源のアースされた一方の配線に接続されるよう制御手段により動作制御される切替手段を備え、該極性判定出力回路の出力結果によって該極性判定回路の故障を判定する判定部を備え、該判定部により故障であると判定された場合に電気機器の負荷への通電を遮断する開閉手段を備えてなる電気機器のアース接続装置。
【請求項２】
アース抵抗変化検出回路を備え、極性判定回路の出力結果によって切替手段が制御手段により動作制御されることで、同アース抵抗変化検出回路の検出回路用直流電源のグランド（ｇ）が商用電源のアースされた一方の配線側に接続されるようになしたことを特徴とする請求項１記載の電気機器のアース接続装置。
【請求項３】
商品一次側の両受給配線各々に極性判定回路を配設し、両受給配線各々で電流が検知されて極性が判定されるようになしたことを特徴とする請求項１又は２記載の電気機器のアース接続装置。
【請求項４】
商品一次側の両受給配線を収束一本化する配線に極性判定回路を設け、両回路開閉手段（ＲＹ１）、（ＲＹ２）を別々に閉状態として、各別の閉状態における電流が同極性判定回路で検知されて極性が判定されるようになしたことを特徴とする請求項１又は２記載の電気機器のアース接続装置。
【請求項５】
判定部は、両回路開閉手段（ＲＹ１）、（ＲＹ２）いずれの閉状態にあっても極性判定回路から出力結果が得られない場合、又は、両回路開閉手段（ＲＹ１）、（ＲＹ２）いずれの閉状態にあっても極性判定回路から出力結果が得られた場合に、同極性判定回路が故障であると判断することを特徴とする請求項１〜４のいずれか一つに記載の電気機器のアース接続装置。
【請求項６】
判定部によって極性判定回路が故障であると判断された場合に、電気機器の負荷をＯＮ・ＯＦＦする開閉手段が制御手段の動作制御により開状態とされるようになしたことを特徴とする請求項５記載の電気機器のアース接続装置。
【請求項７】
漏電検知回路を備え、極性判定回路による極性判定に際しては、同漏電検知回路からの検知出力が制御手段で無視されるようになしたことを特徴とする請求項１〜６のいずれか一つに記載の電気機器のアース接続装置。
【発明の詳細な説明】
【０００１】
【発明の属する技術分野】
本発明は、一方の配線がアースされた商用電源から電力供給を受ける電気機器において、確実なアース接続が自動的に行なわれる電気機器のアース接続装置に関する。
【０００２】
【従来の技術】
従来から、浴湯を保温し浄化する循環式保温浄化装置等の電気機器では、アース接続が行われている。すなわち、この種の電気機器では、ヒータ負荷の絶縁破壊により漏電が起こると、浴湯を介して人が感電する恐れがあり、これを防止するために、ヒータの外殻金属部と電気機器のアース端子とを接続していた。この場合、漏電が起こった際に、電気機器内部の漏電検知回路が動作し、ヒータへの電力供給が遮断されて感電は未然に防止される。
【０００３】
【発明が解決しようとする課題】
しかしながら、上記従来の技術においては、一方の配線がアースされた商用電源から電力供給を受ける場合、極性が逆であると、アース端子接続回路のグランドと同商用電源のアースされた一方の配線とが接続されず、種々のトラブルを生じる（特開平１−１４４３２２号公報参照）。
【０００４】
又、上記従来の技術にあっては、ヒータの外殻金属部と内部アース線の端部とをアース端子金具を介しネジ締めにより接続しているが、ネジの緩みによるアース抵抗の変化や、アース工事を忘れたり不確実なアース工事が行われたり、環境の変化によるアース抵抗の変化等によって、漏電が確実に検知されないことがあり、感電の恐れは十分に解消されない。そこで、アース抵抗変化検出回路を設けようとすると、この場合には、検出回路用直流電源のグランドと前記商用電源のアースされた一方の配線とが接続されないと、検知電流は流れず同アース抵抗変化検出回路が機能しない。この場合も、極性の正逆が問題となって、トラブル発生の原因となる。
【０００５】
このような場合、特開平１−１４４３２２号公報に示されるように、電源極性の正逆を検知し、電源極性が逆である場合には動作不能として、その原因を表示し使用者に知らせたりすることも考えられる。しかし、この場合、使用者が電源極性を正しくする対応措置を講じる必要があり、使用者にとっては不便で負担のかかるものとなる。
【０００６】
本発明は、上記従来の技術における問題を悉く解決するために発明されたもので、その課題は、極性に対応した確実なアース接続が自動的に行なわれる電気機器のアース接続装置を提供することである。
【０００７】
【課題を解決するための手段】
本発明の請求項１記載の電気機器のアース接続装置は、一方の配線がアースされた商用電源から電力供給を受ける電気機器において、商品一次側の受給配線の一方に検知電流制限抵抗（Ｒ１  ）及び回路開閉手段（ＲＹ１）、他方に検知電流制限抵抗（Ｒ２  ）及び回路開閉手段（ＲＹ２）を各々備え、両回路開閉手段（ＲＹ１）、（ＲＹ２）の閉状態における電流を検知して同受給配線での極性を判定する極性判定回路を備え、該極性判定回路の出力結果によってアース端子接続回路のグランド（Ｇ）が前記商用電源のアースされた一方の配線に接続されるよう制御手段により動作制御される切替手段を備え、該極性判定出力回路の出力結果によって該極性判定回路の故障を判定する判定部を備え、該判定部により故障であると判定された場合に電気機器の負荷への通電を遮断する開閉手段を備えてなる。
【０００８】
したがって、この場合、極性判定回路によって商品一次側の受給配線での極性が判定され、該極性判定回路の判定結果が制御手段に入力されて、該制御手段により、アース端子接続回路のグランド（Ｇ）が商用電源のアースされた一方の配線に接続されるよう切替手段が動作制御される。そのため、極性に対応した確実なアース接続が自動的に行なわれ、使用者にとっても便利で負担のかからないものとなる。しかも、極性判定回路が故障している場合は、電気機器の負荷への通電を遮断するため、安全性が高いものである。
【０００９】
本発明の請求項２記載の電気機器のアース接続装置は、上記請求項１記載の電気機器のアース接続装置において、アース抵抗変化検出回路を備え、極性判定回路の出力結果によって切替手段が制御手段により動作制御されることで、同アース抵抗変化検出回路の検出回路用直流電源のグランド（ｇ）が商用電源のアースされた一方の配線側に接続されるようになしたことを特徴とする。
【００１０】
したがって、この場合は特に、極性に対応するよう切替手段が制御手段により動作制御されることで、アース抵抗変化検出回路の検出回路用直流電源のグランド（ｇ）が商用電源のアースされた一方の配線側に接続される。そのため、アース抵抗変化検出回路には検知電流が流れて、該アース抵抗変化検出回路はその機能を果たし、これにより、アース抵抗が正常であるか否かを検知することができる。すなわち、アース工事が適切に行われているか、ネジの緩みや環境の変化によりアース抵抗に異常が発生していないか等を検知することができ、未然に適切な対応措置を講じることができる。
【００１１】
本発明の請求項３記載の電気機器のアース接続装置は、上記請求項１又は２記載の電気機器のアース接続装置において、商品一次側の両受給配線各々に極性判定回路を配設し、両受給配線各々で電流が検知されて極性が判定されるようになしたことを特徴とする。
【００１２】
したがって、この場合は特に、商品一次側の両受給配線各々に極性判定回路が配設されているため、両回路開閉手段（ＲＹ１）、（ＲＹ２）を同時に閉状態とし電流を流しても、両極性判定回路によって極性が判定される。そのため、両回路開閉手段（ＲＹ１）、（ＲＹ２）の動作制御が簡単となり、極性判定は効率化されてその時間短縮が図られる。
【００１３】
本発明の請求項４記載の電気機器のアース接続装置は、上記請求項１又は２記載の電気機器のアース接続装置において、商品一次側の両受給配線を収束一本化する配線に極性判定回路を設け、両回路開閉手段（ＲＹ１）、（ＲＹ２）を別々に閉状態として、各別の閉状態における電流が同極性判定回路で検知されて極性が判定されるようになしたことを特徴とする。
【００１４】
したがって、この場合は特に、商品一次側の両受給配線を収束一本化する配線に極性判定回路が設けられているため、該極性判定回路は一回路で済み、コストダウンが図られる。又、両回路開閉手段（ＲＹ１）、（ＲＹ２）は別々に閉状態とされ、各別の閉状態における電流が同極性判定回路で検知されて、極性は支障なく判定される。
【００１５】
本発明の請求項５記載の電気機器のアース接続装置は、上記請求項１〜４のいずれか一つに記載の電気機器のアース接続装置において、判定部は、両回路開閉手段（ＲＹ１）、（ＲＹ２）いずれの閉状態にあっても極性判定回路から出力結果が得られない場合、又は、両回路開閉手段（ＲＹ１）、（ＲＹ２）いずれの閉状態にあっても極性判定回路から出力結果が得られた場合に、同極性判定回路が故障であると判断することを特徴とする。
【００１６】
したがって、この場合は特に、極性判定回路が故障していると、該極性判定回路からの出力結果の有無によって、そのことが判定部で判断されるため、安全性の向上が図られる。
【００１７】
本発明の請求項６記載の電気機器のアース接続装置は、上記請求項５記載の電気機器のアース接続装置において、判定部によって極性判定回路が故障であると判断された場合に、電気機器の負荷をＯＮ・ＯＦＦする開閉手段が制御手段の動作制御により開状態とされるようになしたことを特徴とする。
【００１８】
したがって、この場合は特に、判定部によって極性判定回路が故障であると判断されると、電気機器の負荷をＯＮ・ＯＦＦする開閉手段が制御手段の動作制御によって開状態とされるため、その際、自動的に電源供給が遮断されて安全性は更に向上される。
【００１９】
本発明の請求項７記載の電気機器のアース接続装置は、上記請求項１〜６のいずれか一つに記載の電気機器のアース接続装置において、漏電検知回路を備え、極性判定回路による極性判定に際しては、同漏電検知回路からの検知出力が制御手段で無視されるようになしたことを特徴とする。
【００２０】
したがって、この場合は特に、極性判定回路による極性判定に際し、漏電検知電流以上の電流が流れても、漏電検知回路からの検知出力が制御手段で無視されるため、該漏電検知回路の誤動作は防止され、動作の安定性が向上される。
【００２１】
【発明の実施の形態】
図１〜３は、本発明の請求項１〜３、５〜７に対応する一実施形態を示し、該実施形態の電気機器のアース接続装置は、一方の配線１ａがアースされた商用電源１から電力供給を受ける電気機器２において、極性に対応した確実なアース接続が自動的に行なわれるものである。
【００２２】
この場合に、商品一次側の受給配線の一方２ａに検知電流制限抵抗（Ｒ１  ）及び回路開閉手段（ＲＹ１）、他方２ｂに検知電流制限抵抗（Ｒ２  ）及び回路開閉手段（ＲＹ２）を各々備え、両回路開閉手段（ＲＹ１）、（ＲＹ２）の閉状態における電流（Ｉ１  ｏｒＩ２  ）を検知して同受給配線２ａ、２ｂでの極性を判定する極性判定回路３ａ、３ｂを備え、該極性判定回路３ａ、３ｂの出力結果によってアース端子（ｃ）接続回路のグランド（Ｇ）が前記商用電源１のアースされた一方の配線１ａに接続されるよう制御手段４により動作制御される切替手段５を備えている。
【００２３】
又、該実施形態の電気機器のアース接続装置では、アース抵抗変化検出回路６を備え、極性判定回路３ａ、３ｂの出力結果によって切替手段５が制御手段４により動作制御されることで、同アース抵抗変化検出回路６の検出回路用直流電源のグランド（ｇ）が商用電源１のアースされた一方の配線１ａ側に接続されるようになしている。この場合、商品一次側の両受給配線２ａ、２ｂ各々に極性判定回路３ａ（＝極性判定回路１）、極性判定回路３ｂ（＝極性判定回路２）を配設し、両受給配線２ａ、２ｂ各々で電流（Ｉ１  ｏｒＩ２  ）が検知されて極性が判定されるようになしている。
【００２４】
又、実施形態の電気機器のアース接続装置では、両回路開閉手段（ＲＹ１）、（ＲＹ２）いずれの閉状態にあっても極性判定回路３ａ、３ｂから出力結果が得られない場合、又は、両回路開閉手段（ＲＹ１）、（ＲＹ２）いずれの閉状態にあっても極性判定回路３ａ、３ｂから出力結果が得られた場合に、同極性判定回路３ａ、３ｂが故障であると判断する判定部７を備えている。この場合、判定部７によって極性判定回路３ａ、３ｂが故障であると判断された場合に、電気機器２の負荷（ヒータＨ）をＯＮ・ＯＦＦする開閉手段（ＲＹ５）が制御手段４の動作制御により開状態とされるようになしている。
【００２５】
又、実施形態の電気機器のアース接続装置では、漏電検知回路８を備え、極性判定回路３ａ、３ｂによる極性判定に際しては、同漏電検知回路８からの検知出力が制御手段４で無視されるようになしている。
【００２６】
図１に示す如く、商用電源１の二本の配線１ａ、１ｂのうち一方の配線１ａは大地にアースされ、他方の配線１ｂはアースされていない。まず、商品のプラグを投入した後、制御手段４となるマイクロコンピュータが起動されると、極性判定のために、両回路開閉手段（ＲＹ１）、（ＲＹ２）を閉状態として、両検知電流制限抵抗（Ｒ１  ）、（Ｒ２  ）に検知電流（Ｉ１  ）（Ｉ２  ）を流す。この場合、受給配線の一方２ａ側では電位差が配線１ａ（大地）に対し同電位となって検知電流（Ｉ１  ）は流れず、受給配線の他方２ｂ側では電位差が１００Ｖとなり１００／Ｒ２  ＋Ｒｔ  （アース接地抵抗）分の検知電流（Ｉ２  ）が流れる。
【００２７】
その際、検知電流（Ｉ２  ）が流れたことを検知する極性判定回路３ｂ（＝極性判定回路２）の出力が発生し、これを制御手段４となるマイクロコンピュータが検出して切替手段５を動作制御する。この場合、切替手段５において、（ＲＹ３）では（Ｂ１−Ｂ２）と接続され、（ＲＹ４）では（Ａ１−Ａ２）と接続され、これによって、アース端子（ｃ）接続回路のグランド（Ｇ）と商用電源１のアースされた一方の配線１ａとが接続される。又、この場合、アース抵抗変化検出回路６では、その検出回路用直流電源のグランド（ｇ）が商用電源１のアースされた一方の配線１ａ側に接続される。
【００２８】
又、電気機器２は浴湯を保温し浄化する循環式保温浄化装置であってヒータＨを有し、該電気機器２の負荷はヒータ負荷９である。この種の電気機器では、ヒータ負荷９の絶縁破壊により漏電が起こると、浴湯を介して人が感電する恐れがあり、これを防止するために、図２に示す如く、ヒータＨの外殻金属部１０と内部アース線１２の端部とをアース端子金具１１を介しネジ１３締めによりアース接続している。この場合、ネジ１３の緩み等でアース接続状態に異常があるとアース抵抗が変化するので、制御手段４による動作制御で（ＲＹ７）を閉状態とし、前記アース抵抗変化検出回路６によって検知することができる。
【００２９】
そして、漏電が起こった際には漏電検知回路８が動作し、ヒータＨへの電力供給が遮断されて感電は未然に防止される。図３には、該実施形態のアース接続装置における動作制御のフローを示している。ここでは、前記とは逆に、商品一次側の受給配線の他方２ｂが商用電源１のアースされた一方の配線１ａに接続されていると、切替手段５において、（ＲＹ３）では（Ｂ１−Ｂ３）と接続され、（ＲＹ４）では（Ａ１−Ａ３）と接続される場合についても示している。又、商品のプラグを投入した後、漏電検知回路８は判定禁止状態（ＲＹ６＝ＯＦＦ状態）にあるが、前記切替手段５における接続完了以降は、同漏電検知回路８が判定許可状態（ＲＹ６＝ＯＮ状態）とされる。
【００３０】
したがって、該実施形態の電気機器のアース接続装置においては、極性判定回路３ａ（＝極性判定回路１）、極性判定回路３ｂ（＝極性判定回路２）によって商品一次側の受給配線２ａ、２ｂでの極性が判定され、該極性判定回路３ａ、３ｂの判定結果は制御手段４に入力される。そして、制御手段４により、アース端子接続（ｃ）回路のグランド（Ｇ）が商用電源１のアースされた一方の配線１ａに接続されるよう切替手段５が動作制御される。そのため、極性に対応した確実なアース接続が自動的に行なわれる。
【００３１】
又、この場合、極性に対応するよう切替手段５が制御手段４により動作制御されることで、アース抵抗変化検出回路６の検出回路用直流電源のグランド（ｇ）が商用電源１のアースされた一方の配線１ａ側に接続される。そのため、アース抵抗変化検出回路６には検知電流が流れて、該アース抵抗変化検出回路６はその機能を果たし、これにより、アース抵抗が正常であるか否かを検知することができる。すなわち、アース工事が適切に行われているか、ネジ１３の緩みや環境の変化によりアース抵抗に異常が発生していないか等を検知することができ、未然に適切な対応措置を講じることができる。
【００３２】
又、該実施形態の電気機器のアース接続装置においては、商品一次側の両受給配線２ａ、２ｂの各々に極性判定回路３ａ、３ｂが配設されているため、両回路開閉手段（ＲＹ１）、（ＲＹ２）を同時に閉状態とし電流（Ｉ１  、Ｉ２  ）を流しても、両極性判定回路３ａ、３ｂによって極性が判定される。そのため、制御手段４による両回路開閉手段（ＲＹ１）、（ＲＹ２）の動作制御が簡単となり、極性判定は効率化されてその時間短縮が図られる。
【００３３】
又、該実施形態の電気機器のアース接続装置においては、極性判定回路３ａ、３ｂが故障（検知電流制限抵抗（Ｒ１  、Ｒ２  ）、アース接地抵抗（Ｒｔ  ）の抵抗値開放による故障）していると、該極性判定回路３ａ、３ｂからの出力結果の有無（両検知電流（Ｉ１  、Ｉ２  ）共に流れない）により、そのことが制御手段４内の判定部７で判断されるため、安全性の向上が図られる。そして、判定部７によって極性判定回路３ａ、３ｂが故障であると判断されると、電気機器２のヒータ負荷９をＯＮ・ＯＦＦする開閉手段（ＲＹ５）が制御手段４の動作制御によって開状態とされるため、その際、自動的に電源供給が遮断されて安全性は更に向上される。
【００３４】
又、該実施形態の電気機器のアース接続装置においては、極性判定回路３ａ、３ｂによる極性判定に際し、漏電検知電流以上の電流が流れても、漏電検知回路８からの検知出力が制御手段４で無視されて極性判定は行われる（制御手段４で検知電流を流した際には漏電検知回路８の出力が同制御手段４で無視されて、極性判定は支障なく行われる）。そのため、漏電検知回路８の（ＲＹ６）による誤動作は防止され、動作の安定性が向上される。
【００３５】
図４、５は、本発明の請求項１、２、４〜７に対応する一実施形態を示し、該実施形態の電気機器のアース接続装置では、商品一次側の両受給配線２ａ、２ｂを収束一本化する配線に極性判定回路３を設けている。そして、両回路開閉手段（ＲＹ１）、（ＲＹ２）を別々に閉状態とすることにより、各別の閉状態における電流（Ｉ１  ｏＲＩ２  ）が同極性判定回路３で検知されて極性が判定されるようになしている。
【００３６】
この場合、制御手段４は極性判定するために最初、回路開閉手段（ＲＹ１）を閉状態にして、検知電流制限抵抗（Ｒ１  ）に検知電流（Ｉ１  ）を流す。極性判定回路３には出力されず、そのことが制御手段４に記憶される。次に、回路開閉手段（ＲＹ１）を開状態にした後、回路開閉手段（ＲＹ２）を閉状態として、検知電流制限抵抗（Ｒ２  ）に検知電流（Ｉ２  ）を流す。極性判定回路３に出力がなされ、そのことが制御手段４に記憶される。このように、回路開閉手段（ＲＹ２）を閉状態としたときにのみ極性判定回路３に出力がなされたため、その後に、図４に示す如く、制御手段４の動作制御によって切替手段５が接続される。
【００３７】
すなわち、ここで、切替手段５において、（ＲＹ３）では（Ｂ１−Ｂ２）と接続され、（ＲＹ４）では（Ａ１−Ａ２）と接続され、これによって、アース端子（ｃ）接続回路のグランド（Ｇ）と商用電源１のアースされた一方の配線１ａとが接続される。又、この場合、アース抵抗変化検出回路６では、その検出回路用直流電源のグランド（ｇ）が商用電源１のアースされた一方の配線１ａ側に接続される。又、図５には、該実施形態のアース接続装置における動作制御のフローを示している。ここでは、前記とは逆に、商品一次側の受給配線の他方２ｂが商用電源１のアースされた一方の配線１ａに接続されていると、切替手段５において、（ＲＹ３）では（Ｂ１−Ｂ３）と接続され、（ＲＹ４）では（Ａ１−Ａ３）と接続される場合についても示している。
【００３８】
したがって、該実施形態のアース接続装置においては、商品一次側の両受給配線２ａ、２ｂを収束一本化する配線に極性判定回路３が設けられているため、該極性判定回路３は一回路で済み、コストダウンが図られる。又、両回路開閉手段（ＲＹ１）、（ＲＹ２）は別々に閉状態とされ、各別の閉状態における電流（Ｉ１  ｏｒＩ２  ）が同極性判定回路３で検知されて、極性は支障なく判定される。なお、それ以外は、上記実施形態と同様に構成され、同上記実施形態におけると同様の作用効果が奏されるので、その説明を省略する。
【００３９】
【発明の効果】
上述の如く、本発明の請求項１記載の電気機器のアース接続装置では、極性判定回路の出力結果によって、アース端子接続回路のグランドが商用電源のアースされた一方の配線に接続されるよう切替手段が制御手段により動作制御され、極性に対応した確実なアース接続が自動的に行なわれる。しかも、極性判定回路が故障している場合は、電気機器の負荷への通電を遮断するた安全性が高い。
【００４０】
又、本発明の請求項２記載の電気機器のアース接続装置では、特に、アース抵抗変化検出回路の検出回路用直流電源のグランドが商用電源のアースされた一方の配線側に接続されて、該アース抵抗変化検出回路はその機能を果たし、これによって、アース抵抗が正常であるか否かを検知することができる。
【００４１】
又、本発明の請求項３記載の電気機器のアース接続装置では、特に、両回路開閉手段を同時に閉状態として電流を流しても、両極性判定回路により極性が判定されて、両回路開閉手段の動作制御は簡単となり、極性判定が効率化されてその時間短縮も図られる。
【００４２】
又、本発明の請求項４記載の電気機器のアース接続装置では、特に、商品一次側の両受給配線を収束一本化する配線に極性判定回路が設けられて、該極性判定回路は一回路で済み、コストダウンが図られ、両回路開閉手段は別々に閉状態とされて、同極性判定回路で極性が支障なく判定される。
【００４３】
又、本発明の請求項５記載の電気機器のアース接続装置では、特に、極性判定回路の故障が判定部で判断されて、安全性の向上が図られる。
【００４４】
又、本発明の請求項６記載の電気機器のアース接続装置では、特に、判定部で極性判定回路が故障であると判断されると、電気機器の負荷をＯＮ・ＯＦＦする開閉手段が自動的に開状態とされ、安全性は更に向上される。
【００４５】
又、本発明の請求項７記載の電気機器のアース接続装置では、特に、極性判定の際に漏電検知回路からの検知出力が制御手段で無視されて、該漏電検知回路の誤動作は防止され、動作の安定性が向上される。
【図面の簡単な説明】
【図１】  本発明の一実施形態である電気機器のアース接続装置を示す回路図。
【図２】  同電気機器のアース接続装置における内部アース線の接続部位を示す（ａ）は平面図、（ｂ）は正面図。
【図３】  同電気機器のアース接続装置における動作制御を示すフローチャート。
【図４】  別の実施形態である電気機器のアース接続装置を示す回路図。
【図５】  同電気機器のアース接続装置における動作制御を示すフローチャート。
【符号の説明】
１  商用電源
１ａ  商用電源の一方の配線
１ｂ  商用電源の他方の配線
２  電気機器
２ａ  受給配線の一方
２ｂ  受給配線の他方
３  極性判定回路
３ａ  極性判定回路１
３ｂ  極性判定回路２
４  制御手段
５  切替手段
６  アース抵抗変化検出回路
７  判定部
８  漏電検知回路
Ｒ１  、２    検知電流制限抵抗
ＲＹ１、２  回路開閉手段
ＲＹ５  電気機器の負荷をＯＮ・ＯＦＦする開閉手段
Ｇ  アース端子接続回路のグランド
ｇ  検出回路用直流電源のグランド
【図１】
0004543501.tif 000002
【図２】
0004543501.tif 000003
【図３】
0004543501.tif 000004
【図４】
0004543501.tif 000005
【図５】
0004543501.tif 000006